(57)【要約】【課題】「置物」、写真立て、携帯端末等の支持対象物用の「スタンド」及び壁等に「飾り物」として使用することができること。【解決手段】底面に略直交する前記背面の部位が前方脚体となる立体的形状の人形本体と、前方脚体の上端部に設けられヒンジ部を介して所定角度まで開く開脚状態と該前方脚体と略重なる閉脚状態となる後方脚体と、この後方脚体の背面に一体的に設けられた吸盤とから成る携帯型人形。【選択図】図４
2016059655.tif 000002
【特許請求の範囲】
【請求項１】
底面に略直交する背面の部位が前方脚体となる立体的形状の人形本体と、前記前方脚体の上端部に設けられヒンジ部を介して所定角度まで開く開脚状態と該前方脚体と略重なる閉脚状態となる後方脚体と、この後方脚体の背面に一体的に設けられた吸盤とから成る携帯型人形。
【請求項２】
請求項１に於いて、人形本体は、正面視、少なくとも妖怪、各種のキャラクターのいずれかを表現したフィギュアであることを特徴とする携帯型人形。
【請求項３】
請求項１に於いて、携帯型人形は、閉脚状態で底面をベースとして置物にすることができ、また開脚状態かつ吸盤を用いない非吸着状態で置物にすることができ、さらに開脚状態かつ吸盤を用いて写真立て又は携帯端末用のいずれかのスタンドとして使用することができ、加えて、閉脚状態で吸盤を壁や家具類の側壁に吸着させて飾り物にすることができることを特徴とする携帯型人形。
【請求項４】
請求項３に於いて、人形本体の頂部から斜め上方向に延びる棒状部分の上端が前記支持対象物の背面に当接する支持端としての機能を果たすことを特徴とする携帯型人形。
【請求項５】
立体的形状の人形本体と、この立体的形状の人形本体の背面に係合する矩形枠状又は円形枠状のいずれかの前方脚体と、この前方脚体の上端部に設けられヒンジ部を介して所定角度まで開く開脚状態と該前方脚体と略重なる閉脚状態となる後方脚体と、この後方脚体の背面に一体的に設けられた吸盤とから成る携帯型人形。
【発明の詳細な説明】
【技術分野】
【０００１】
本発明は、正面視、動物、妖怪、各種のキャラクターのいずれかを表現した、「フィギュア」と称される携帯型人形に関する。
【背景技術】
【０００２】
特許文献１の図３には、例えば動物、人形、キャラクター等を立体的に表現した人形支持体の頭部の背面に脱着可能な吸盤を取付け、「携帯端末用スタンド」として用いることができること、また図４には、前記人形支持体の頭部に吊り下げ部材を設け、該人形支持体を前記吊り下げ部材を介して携帯端末に吊り下げ、「飾り物」として用いることができることが記載されている。
【０００３】
この特許文献１に記載の携帯端末用スタンドは、飾り物としても利用することができるものの、携帯端末用スタンドとして用いる場合は、いわゆる開閉脚体を有しないので、携帯端末を十分に支持することができない、携帯端末を略垂直状態でしか支持することができない、美的効果の強調するために人形支持体の底面（基部）の一部を浮き上がらせることができないという問題点がある。
【０００４】
特許文献２の発明の課題は、通話機器用スタンドにおいて、通話時や、通話機器を衣服に付帯するポケットや鞄等に収容する時に、通話機器の携行性や操作性に悪影響を与えることを防止することであり、該課題を解決するための手段は、通話機器の裏面に取り付けた取付け部材２１と、開脚状態Ｐと閉脚状態Ｑとを取り得るように構成したスタンド本体３１と、これらスタンド本体３１と取付け部材２１とを着脱可能に連結することができる連結手段４１とを具備し、通話機器を、取付け部材２１を介して開脚状態Ｐにあるスタンド本体３１に連結し、載置面に自立させることである（符号は特許文献２のもの）。
【０００５】
この特許文献１に記載の通話機器用スタンドは、スタンド自体に意匠的な機能美が全く考慮されていない。付言すると、スタンド本体は、開脚状態Ｐと閉脚状態Ｑになるようにヒンジ部を介して連結されているものの、置物や飾り物としての用途はない（符号は特許文献３のもの）。
【０００６】
特許文献３又は特許文献４は、共に携帯端末用支持具であり、携帯端末の背面に吸着する吸盤は、携帯端末を全方位に様々な角度で支持することが可能な袋体の適宜部位に取付けたというものである。これらの携帯端末用支持具は、発明の課題が携帯端末を全方位に様々な角度で支持する必要があるので、袋体の外周面の形状及び体積を考慮しなければならず、袋体を任意の人形にすることができないという問題点がある。
そこで、特許文献１乃至特許文献４の問題点を解決するために本発明が出現した。
【先行技術文献】
【特許文献】
【０００７】
【特許文献１】実用新案登録第３１７６５２２号公報
【特許文献２】特開２００２−７７３４７号公報
【特許文献３】特許第５２３５２４５号公報
【特許文献４】特許第５４５１９２２号公報
【発明の概要】
【発明が解決しようとする課題】
【０００８】
本願発明の主たる目的は、「それ自体置物」として、また後方脚体を開いて支持対象物用の「スタンド」として、さらに、壁面、家具類の側面等に吸着させる「飾り物」として、それぞれ使用することができる携帯型人形を提案することである。本願発明の従たる目的は、スタンドとして使用する場合には、支持対象物に対してスタンド機能を十分に発揮することができること、人形本体の立体的形状を任意かつ美的に表現することができること等である。
【課題を解決するための手段】
【０００９】
本発明の携帯型人形は、底面に略直交する背面の部位が前方脚体となる立体的形状の人形本体と、前記前方脚体の上端部に設けられヒンジ部を介して所定角度まで開く開脚状態と該前方脚体と略重なる閉脚状態となる後方脚体と、この後方脚体の背面に一体的に設けられた吸盤とから成ることを特徴とする。
【００１０】
本発明の携帯型人形は、立体的形状の人形本体と、この立体的形状の人形本体の背面に係合する矩形枠状又は円形枠状のいずれかの前方脚体と、この前方脚体の上端部に設けられヒンジ部を介して所定角度まで開く開脚状態と該前方脚体と略重なる閉脚状態となる後方脚体と、この後方脚体の背面に一体的に設けられた吸盤とから成ることを特徴とする。ここでの「立体的形状の人形本体」には、妖怪、各種のキャラクター、動物、ロボット、美的な著作物を含む。
【発明の効果】
【００１１】
（ａ）請求項１に記載の発明は、人形本体の背面の部位を前方脚体として用いることができるので、後方脚体を所定角度まで開く開脚状態とした場合には、それ自体、「置物」として鑑賞することができると共に、写真立て、携帯端末等の支持対象物用の「スタンド」として用いる場合には、吸盤を写真立て、携帯端末等の背面に吸着させだけで良い。さらに、前記吸盤を利用して携帯型人形を家具類の側壁や壁に取付け、「飾り物」として利用することもできる。このように、本発明は、意匠の機能美を発揮させながら、スタンドとしての機能を十分に発揮させることができる。
（ｂ）請求項２に記載の発明は、人形本体の形態や体積に限定されず、例えば半立体形状のロボット（漫画やアニメに登場するキャラクターを彷彿させるフィギュア）を表現することができる。
（ｃ）請求項３に記載の発明は、携帯型人形は、（イ）閉脚状態で底面をベースとして置物にすることができ、（ロ）また開脚状態かつ吸盤を用いない非吸着状態で置物にすることができ、（ハ）さらに開脚状態かつ吸盤を用いて写真立て又は携帯端末用のいずれかのスタンドとして使用することができ、（ニ）加えて、閉脚状態で吸盤を壁や家具類の側壁に吸着させて飾り物にすることができるので、一つの携帯型人形を、少なくとも４つの使用態様で楽しむことができる。
（ｄ）請求項４に記載の発明は、携帯型人形を、例えば写真立て又は携帯端末用のいずれかのスタンドとして使用する場合に、前記写真立て又は携帯端末の背面に吸盤が吸着すると共に、人形本体の頂部から斜め上方向に延びる棒状部分の上端が前記写真立て又は携帯端末の背面に当接する支持端としての機能を果たすことができる。
（ｅ）請求項５に記載の発明も、請求項１に記載の発明と同一の作用・効果がある。
【図面の簡単な説明】
【００１２】
図１乃至図６は本発明の第１実施形態を示す各説明図、図７乃至図９    は本発明の第２実施形態を示す各説明図。
【図１】正面図（置物の仕様態様１）。
【図２】後方脚体を閉じた右側面図。
【図３】後方脚体を閉じた背面視側からの斜視図。
【図４】後方脚体を開いた場合の説明図（置物の仕様態様２）。
【図５】写真立て用又は携帯端末用のスタンドとして使用した場合の説明図（他の用途１）。
【図６】壁、側壁等に吸着させて飾り物として使用した場合の説明図（他の用途２）。
【図７】第２実施形態の分解斜視図。
【図８】人形本体の背面視からの斜視図。
【図９】人形本体をスタンド本体に結合した説明図。
【発明を実施するための最良の形態】
【００１３】
図１乃至図６は、本発明の第１実施形態の携帯型人形Ｘである。これらの図に於いて、１は人形本体、２はヒンジ部、３は後方脚体、４は吸盤である。このように実施形態の携帯型人形Ｘは、合計４つの構成部品から成る。以下、図１の正面図を基準にして、正面、背面、平面等という。
【００１４】
人形本体１は、例えば合成樹脂材で立体的形状に成形されている。実施形態では、背面ｂが略垂直面なので、いわば半立体的形状である。人形本体１が半立体的形状又は略完全な立体的形状のいずれであれ、実施形態の人形本体１は、正面ａと背面ｂと平面ｃと底面ｄと左側面ｅ、右側面ｆとを有し、前記底面ｄに略直交する前記背面ｂの部位が板状の前方脚体５となる。そして、携帯型人形Ｘがスタントとして用いられる場合（図４、図５）には、前方脚体５の後方下端縁５ａが水平線状の支持部分と成る。
【００１５】
人形本体１は、正面視、少なくとも妖怪、各種のキャラクターのいずれかを表現している。人形本体１は、妖怪や各種のキャラクター以外に、美的要素の動物、美的な建築物等を模したものであっても良い。実施形態では、漫画やアニメに登場するキャラクターをロボットとして表現したフィギュアが用いられている。したがって、例えばトランスフォーマー（登録商標）、仮面ライダー（登録商標）、ガンダム（登録商標）、Ｄｉｓｎｅｙ（登録商標）等が半立体的形状のロボットとして表現され得る。
【００１６】
人形本体１の底面ｄは、ベース面（基台面）としの機能を有する。また実施形態では、人形本体１の頂部から斜め上方向に延びる左右一対の棒状部分６，６の上端６ａ、６ａが写真立て、携帯端末等の支持対象物７の背面７ａに当接する支持端としての機能を果たす（図５参照）。
【００１７】
人形本体１自体は、その背面部位に板状前方脚体５と、この板状前方脚体５にヒンジ部２を介して開閉自在である板状後方脚体３を有するので、前記板状後方脚体３、ヒンジ部２及び板状前方脚体５の三要素は、いわゆるスタンド本体を構成する。
付言すると、人形本体１の背面部位に対して開閉する板状後方脚体３は、前方脚体５の上端部に設けられたヒンジ部２を介して所定角度まで開く開脚状態と該前方脚体５と略重なる閉脚状態となる。
【００１８】
ヒンジ部２の構造は、例えば特許文献２、意匠登録第１４８６９９５号公報等に記載されているように周知事項なので、詳細な図面は割愛するが、例えば前方脚体５の上端部に二股形状の対向端部を突出成形し、これらの二股形状の対向端部の各谷部に板状後方脚体３の上端部に突出形成した複数個の凸部をそれぞれ嵌め合せ、前記二股形状の対向端部と凸部を、枢支ピンを介して結合して成る。そして、板状後方脚体３が人形本体１の背面ｂに対して所定角度まで開く理由は、例えば前記谷部の底面の縁部に凸部の一端部が突き当たるからである。
【００１９】
吸着部材の一例としての吸盤４は、横向き皿形状の弾性体であり、その背面中央部の基端部が板状後方脚体３の背面３ａの上端部寄りの部位或いは中央部に固定されている。
上記構成に於いて、携帯型人形Ｘは、図１乃至図３で示すように、閉脚状態で底面ｄをベースとして置物にすることができる。この場合、板状後方脚体３の底面にも支持面としての機能を発揮させることが望ましいが、人形本体１の底面ｄのみを「置物の支持面」とする場合には、好ましくは前記底面ｄを胴体よりもやや幅広にする。
【００２０】
次に、人形本体１を片手に持って板状後方脚体３を開き、例えば図４で示すように、板状後方脚体３を開脚状態、かつ吸盤４を用いない非吸着状態で置物にすることができる。この場合には、携帯型人形Ｘは人形本体１の前方脚体５と板状後方脚体３が逆Ｖ字形状となることから、人形本体１の底面ｄがやや傾斜状に浮き上がった状態となり、例えば机の天板８上に前記前方脚体５の下端縁部分５ａと後方脚体３の不番の下端縁部分により支持される。
【００２１】
次に、図５で示すように、開脚状態かつ吸盤４を用いて写真立て又は携帯端末用のいずれかのスタンドとして使用することができる。この場合には支持対象物７の背面７ａの下端部寄りの部位に吸盤４を吸着させ、望ましくは、人形本体１の左右の棒状部分６，６の上端６ａ、６ａを前記背面７ａの略中央部の左右部材に当接させる。
最後に、図６は、携帯型人形Ｘを、閉脚状態で吸盤４を壁１０や家具類の側壁１０に吸着させて飾り物にする場合を示す。
【実施例】
【００２２】
次に、図７乃至図９は本発明の第２実施形態を示す各説明図である。
なお、第２の実施形態の説明に当って、第１実施形態と同一の部分には同一又は同様の符号を付して重複する説明を割愛する。
【００２３】
この第２実施形態の携帯型人形Ｘ１が第１実施形態と主に異なる事項は、第１実施形態の前方脚体５が人形本体１の背面部位に一体成形されたものであるのに対して、第２実施形態の前方脚体５Ａは、人形本体１と別個である一方、前方脚体５Ａと吸盤４を有する後方脚体３Ａはヒンジ部２Ａを介して一体的に設けられている点、前記前方脚体５Ａは矩形枠状（実施形態）又は円形枠状のいずれかに形成され、該矩形枠状の開口部１１の縁部分（被係合部分）に人形本体１の背面に突設した弾性変位機能及び弾性復帰機能を有する複数個の係合突片１２が係合する点、さらに、図９で示すように人形本体１の下端縁部分１ａで支持される点である。
【００２４】
なお、前記係合突片１２は、人形本体１の背面部の左右部位に合計４個設けられているが、左右又は上下のいずれかに一対設けても良い。また人形本体１の背面に、開口部１１の内周面に密着状態に嵌入する盤状の突起部分を連設形成し、該盤状突起部分を開口部１１から容易に外れないように嵌合させても良い。さらに、第１実施形態と同様に前方脚体５Ａの下端縁部分５ａで支持しても良い。
このように構成しても、第１実施形態と同一の課題を達成することができる。
【産業上の利用可能性】
【００２５】
本発明は、「置物」、写真立て、携帯端末等の支持対象物用の「スタンド」及び壁等に「飾り物」として使用することができる携帯型人形である。
【符号の説明】
【００２６】
Ｘ…携帯型人形、
１…人形本体、
２、２Ａ…ヒンジ部、
３、３Ａ…後方脚体、
３ａ…背面、
４…吸盤、
５、５Ａ…前方脚体、５ａ…下端縁部分、
６…棒状部分、
７…支持対象物、
８…天板、１０…壁や側壁、
１１…開口部、１２…係合突片。
【図１】
2016059655.tif 000003
【図２】
2016059655.tif 000004
【図３】
2016059655.tif 000005
【図４】
2016059655.tif 000006
【図５】
2016059655.tif 000007
【図６】
2016059655.tif 000008
【図７】
2016059655.tif 000009
【図８】
2016059655.tif 000010
【図９】
2016059655.tif 000011